(57)【要約】【課題】  支持金具と取付ブラケットの取り付けが簡易で、かつ取付ブラケットの錆防止処理が簡易である安価なダイナミックダンパを提供する。【解決手段】  ダイナミックダンパ１０は、互いに所定距離離れて対向して配置されたＬ字状の一対の支持金具１１と、その対向する垂直板部１２間に配置された質量金具１６と、各垂直板の対向面と質量金具の両端間を弾性的に連結する一対のゴム弾性体１７を有する。支持金具は、一対の水平板部１３の取付孔１４を取付ブラケット２１の突出部２２に挿嵌して、突出部を径方向外方に曲げることにより取付ブラケットに固定されている。取付ブラケットには、予め表面全面に組成比率がアルミニウム６重量％，マグネシウム３重量％，残部が亜鉛及び不可避的不純物からなる溶融Ｚｎ−Ａｌ−Ｍｇメッキ層が形成されている。【選択図】    図１
2005226699.tif 000002
【特許請求の範囲】
【請求項１】
金属板を挟角が９０°以上になるように折り曲げた略Ｌ字状の支持金具の一方の板部の挟角に対する反対側面にゴム弾性体を介して質量金具が取り付けられており、該支持金具の他方の板部にて板状の取付ブラケットに固定されており、該取付ブラケットにより制振対象である相手部材に取り付けられるダイナミックダンパであって、
前記他方の板部が取付孔を設けており、一方、前記取付ブラケットには、予め板面から起立した前記取付孔の内径より小さい外径の筒形の突出部を設けておき、前記他方の板部が前記取付孔にて前記突出部に挿嵌されて前記取付ブラケットに重ね合わされた状態で、該突出部の先端側が径方向外方に曲げられて該取付孔の周縁部分に重ね合わされていることを特徴とするダイナミックダンパ。
【請求項２】
前記取付ブラケットが普通鋼板製であって、予めその表面に、アルミニウム６重量％，マグネシウム３重量％，残部が亜鉛及び不可避的不純物からなる溶融Ｚｎ−Ａｌ−Ｍｇメッキ層が形成されていることを特徴とする前記請求項１に記載のダイナミックダンパ。
【発明の詳細な説明】
【技術分野】
【０００１】
本発明は、車両のエンジンを支持するエンジンマウントのメンバ等の制振対象部材に、取付ブラケットによって固定されるダイナミックダンパに関する。
【背景技術】
【０００２】
従来、この種のダイナミックダンパとしては、例えば図５に示すように、所定距離を隔てて互いに対向する一対のＬ字状の支持金具１の対向面にそれぞれゴム弾性体層２を介して横長の直方体形状の質量金具３が接着固定されており、さらに長尺板である取付ブラケット４に一対の支持金具１が重ね合わされて、両者に設けた取付孔を介してボルト５及びナット６により取り付けられたものが知られている。ダイナミックダンパの取付ブラケット４には、通常は錆び防止のためにカチオン塗装が施されている。このダイナミックダンパは、取付ブラケット４を車両側取付部７に載置して、ボルト８等によって取付部７に固定される。なお、同様の構造のダイナミックダンパについては、例えば特許文献１にも示されている。
【特許文献１】特開平６−２７２７３３号公報
【０００３】
ところで、この種のダイナミックダンパは、例えば、質量金具の重量が１kg以下であり、その共振周波数が１００Hz以上で使用されることが多く、そのような場合には、支持金具と取付ブラケットの固定部分に加わる振動が小さい。そのため、支持金具と取付ブラケットとの取付強度がそれほど要求されていないので、上記ボルト及びナットによる強固な固定は必ずしも必要とはされていない。かえって、ボルト及びナットによる固定では、部材コストを要すると共に、取り付けの手間を要するため、支持金具と取付ブラケットとの取り付けコストが高価になるという問題がある。また、取付ブラケットに施される錆び防止のためにカチオン塗装については、塗装コストが高価であるため、ダイナミックダンパのコストアップの原因となっている。
【発明の開示】
【発明が解決しようとする課題】
【０００４】
本発明は、上記した問題を解決しようとするもので、支持金具と取付ブラケットの取り付けが簡易で、かつ取付ブラケットの錆防止処理が簡易である安価なダイナミックダンパを提供することを目的とする。
【課題を解決するための手段】
【０００５】
上記目的を達成するために、本発明の構成上の特徴は、金属板を挟角が９０°以上になるように折り曲げた略Ｌ字状の支持金具の一方の板部の挟角に対する反対側面にゴム弾性体を介して質量金具が取り付けられており、支持金具の他方の板部にて板状の取付ブラケットに固定されており、取付ブラケットにより制振対象である相手部材に取り付けられるダイナミックダンパであって、他方の板部が取付孔を設けており、一方、取付ブラケットには、予め板面から起立した取付孔の内径より小さい外径の筒形の突出部を設けておき、他方の板部が取付孔にて突出部に挿嵌されて取付ブラケットに重ね合わされた状態で、突出部の先端側が径方向外方に曲げられて取付孔の周縁部分に重ね合わされていることにある。
【０００６】
上記のように構成した発明においては、取付ブラケットに予めバーリング加工等により設けられた円筒形の突出部に、突出部の外径より大きい内径の取付孔を有する支持金具の他方の板部を、その取付孔にて挿嵌して取付ブラケットに重ね合わせた状態で、突出部の先端側をローラ加締め等によって径方向外方に曲げて他方の板部の取付孔の周縁に重ね合わせることにより、他方の板部が取付ブラケットに簡単に固定される。そのため、本発明によれば、支持金具の取付ブラケットへの取り付けにおいて、ボルトナット等の別部材が不要になると共に、別部材を用いた場合に比べて取り付けの手間が低減する。なお、本発明による別部材を用いない、支持金具と取付ブラケットの取り付けの場合、従来のボルト及びナットを用いた取り付けに比べて取付強度が低くなるが、質量金具の重量が１kg以下で、その共振周波数が１００Hz以上で使用されるダイナミックダンパのように、支持金具と取付ブラケットの固定部分に加わる振動が小さい場合には、固定部分の信頼性の面でも問題にはならない。
【０００７】
また、上記ダイナミックダンパにおいて、取付ブラケットが普通鋼板製であって、予めその表面に、アルミニウム６重量％，マグネシウム３重量％，残部が亜鉛及び不可避的不純物からなる溶融Ｚｎ−Ａｌ−Ｍｇメッキ層を形成することができる。なお、亜鉛、アルミニウム及びマグネシウムの組成比率としては、亜鉛９１％−アルミニウム６％−マグネシウム３％が好ましいが、この組成比率がわずかに変動したものであってもよい。
【０００８】
このように、取付ブラケットは、バーリング加工等によって突出部が設けられ、さらに突出部がローラ加締め等により外方に広げることにより、メッキ層で被覆された普通鋼板表面が荒されて鋼素材が露出した状態にされているが、普通鋼板からなる取付ブラケットの表面には、予めアルミニウム６重量％，マグネシウム３重量％，残部が亜鉛及び不可避的不純物からなる溶融Ｚｎ−Ａｌ−Ｍｇメッキ層が形成されている。そのため、溶融Ｚｎ−Ａｌ−Ｍｇメッキ層が雨や結露等で濡れることにより、メッキ層から亜鉛，アルミニウム，マグネシウムが溶け出して、上記加工等により生じた鋼素地の露出面が緻密なマグネシウム含有亜鉛系保護被膜によって覆われる。その結果、本発明によれば、取付ブラケットの鋼素地露出面からの腐食の進行が防止され、取付ブラケットの長期にわたっての信頼性が確保される。また、この溶融Ｚｎ−Ａｌ−Ｍｇメッキ層の形成のコストは、通常の溶融亜鉛メッキ等と同等であり、従来行われていたカチオン塗装に比べて大幅に安価であるため、ダイナミックダンパが一層安価に提供される。
【発明の効果】
【０００９】
本発明によれば、ダイナミックダンパの支持金具と取付ブラケットの取り付けが、別部材を用いることなく、しかも短時間で簡易に行われるため、ダイナミックダンパのコストが低減する。さらに、本発明によれば、取付ブラケットに予め溶融Ｚｎ−Ａｌ−Ｍｇメッキ層を形成しておくことにより、突出部等の加工により生じた普通鋼板の露出面における錆びの発生を安価にかつ確実に抑えることができ、取付ブラケットの信頼性を安価にかつ長期にわたって確保することができる。
【発明を実施するための最良の形態】
【００１０】
以下、本発明の一実施例を図面を用いて説明する。図１及び図２は、実施例である車両の取付部に取り付けられるダイナミックダンパ１０を一部破断正面図及び平面図により示したものである。図３は、ダイナミックダンパの取付ブラケットへの取り付け状態を各拡大断面図により示したものである。ダイナミックダンパ１０は、互いに所定距離離れて対向して配置されるＬ字状の一対の支持金具１１と、両支持金具１１の対向する垂直板部１２間に配置された直方体形状の質量金具１６と、各垂直板部１２の対向面と質量金具１６の長手方向両端間を弾性的に連結する一対のゴム弾性体１７を有し、さらに、支持金具１１の一対の水平板部１３をその取付孔１４が取付ブラケット２１の突出部２２に挿嵌された状態で突出部２２を径方向外方に曲げることにより取付ブラケット２１に固定されている。なお、以下の説明において、ダイナミックダンパ１０の各部の上下及び左右関係については、図１の上下及び左右に合わせることにする。
【００１１】
支持金具１１は、長方形の金属板の曲げ加工により形成された挟角が９０°で互いに直交する一方の板部である垂直板部１２と他方の板部である水平板部１３とを一体で有しており、垂直板部１２と水平板部１３の境界は円弧状に丸められている。水平板部１３の中心位置には、円形の取付孔１４が設けられている。一対の支持金具１１は、各水平板部１３が同一平面上に配置されると共に、一対の垂直板部１２が水平板部１３を外側に向けて互いに対向して配置されている。一対の垂直板部１２間には長尺状の直方体形状の質量金具１６が、長手方向の両端面が垂直板部１２とわずかに隙間を隔てて配置されている。質量金具１６は、その上面が垂直板部１２の上端と略同一高さであり、その下面が垂直板部１２の下端よりわずかに上方になるように配置されている。
【００１２】
各垂直板部１２と質量金具１６の長手方向両端面間には、一対のゴム弾性体１７が加硫成形により形成されて、各垂直板部１２と質量金具１６の両端面間を弾性的に連結している。また、ゴム弾性体１７からは、薄肉のゴム被覆層１８が、質量金具１６の直方体の上下面及び前後面側にその各稜の近傍を除いて一体となって長手方向にわずかに延びて質量金具１６表面を被覆している。
【００１３】
取付ブラケット２１は、図２及び図３−１に示すように、平坦な長方形の普通鋼板製であり、予め上記一対の水平板部１３に設けた取付孔１４位置に合わせて板面にバーリング加工を施して、板面に垂直に突出した円筒形の突出部２２を設けている。突出部２２は、外径が上記取付孔１４の内径よりわずかに小さくされている。また、取付ブラケット２１は、長手方向の両端及び中央位置でかつ幅方向両端の６ヶ所に取付穴２３を設けている。図３−２に示すように、取付ブラケット２１には、一対の支持金具１１の各水平板部１３が取付孔１４にて突出部２２に挿嵌されて取付ブラケット２１に重ね合わされており、さらに、突出部２２の取付孔１４からの突出部分がローラ加締め法によって径方向外方に曲げられて、曲げ部２２ａが水平板部１３の取付孔１４周縁部分に重ね合わされる。すなわち、支持金具１１の水平板部１３が、ボルトナット等の固定のために別部材を用いることなくしかも簡易な手法により取付ブラケット２１に固定されている。
【００１４】
また、取付ブラケット２１を構成する加工前の長方形の普通鋼板には、予め表面全面に組成比率がアルミニウム６重量％，マグネシウム３重量％，残部が亜鉛及び不可避的不純物からなる溶融Ｚｎ−Ａｌ−Ｍｇメッキ層が形成されている。この溶融Ｚｎ−Ａｌ−Ｍｇメッキ層は、近年開発されたものであり、このメッキ層を施した鋼板は商品名ＺＡＭ（日新製鋼株式会社製）として知られている。ＺＡＭについては、以下のような性質があることが知られている。上記組成の溶融Ｚｎ−Ａｌ−Ｍｇメッキ層の施された普通鋼板に切断や曲げ加工を施した場合に、加工面に鋼素地が露出するが、メッキ層が雨や結露等で濡れることにより、メッキ層から亜鉛，アルミニウム，マグネシウムが溶け出して、鋼板の露出端面が緻密なマグネシウム含有亜鉛系保護被膜で覆われるため、普通鋼板の露出面から腐食の進行が防止される。
【００１５】
本実施例においても、取付ブラケット２１が形成される過程で、穴あけ加工やバーリング加工により突出部２２が形成され、さら突出部２２がローラ加締めにより曲げられることにより、鋼素材の露出がもたらされる。以上のように形成されたダイナミックダンパ１０は、図１に示すように、取付ブラケット２１を車両側取付部７に載置して、取付穴２３にボルト２４を挿嵌して取付部７に螺着させることにより取付部７に固定される。
【００１６】
上記実施例においては、予めバーリング加工により起立した円筒形の一対の突出部２２を設けた取付ブラケット２１に対して、一対の支持金具１１の水平板部１３が取付孔１４を突出部２２に挿嵌することにより重ね合わされた状態で、突出部２２の先端側をローラ加締め法等によって径方向外方に曲げることにより、曲げ部２２ａが水平板部１３の取付孔１４周縁部分に重ね合わされ、水平板部１３が取付ブラケット２１に簡単に取り付けられる。そのため、本実施例においては、従来のダイナミックダンパのように、支持金具１１と取付ブラケット２１の取り付けのためのボルトナット等の別部材が不要になると共に、取付作業の手間が大幅に削減される。その結果、本実施例においては、従来に比べてダイナミックダンパ１０の製造コストが大幅に低減する。
【００１７】
なお、本実施例のように、別部材を用いない支持金具１１と取付ブラケット２１の取り付けの場合、従来のボルト及びナットを用いた取り付けに比べて取付強度がわずかに低くなる。しかし、本実施例のダイナミックダンパは、質量金具１６の重量が１kg以下で、その共振周波数が１００Hz以上で使用されるものであるため、支持金具１１と取付ブラケット２１の固定部分に加わる振動が小さくなっている。そのため、本実施例においては、支持金具１１と取付ブラケット２１の固定部分の強度の低下が、固定部分の信頼性の面で問題になることはない。
【００１８】
また、本実施例においては、取付ブラケット２１にバーリング加工等によって突出部２２を設けたり、さらに突出部２２をローラ加締め等により外方に広げることにより、加工部分の鋼板表面に鋼素材が露出した状態となる。しかし、取付ブラケット２１の表面には、予めアルミニウム６重量％，マグネシウム３重量％，残部が亜鉛及び不可避的不純物からなる溶融Ｚｎ−Ａｌ−Ｍｇメッキ層が形成されている。そのため、溶融Ｚｎ−Ａｌ−Ｍｇメッキ層が雨や結露等で濡れることにより、メッキ層から亜鉛，アルミニウム，マグネシウムが溶け出して、取付ブラケット２１の鋼素地露出面が緻密なマグネシウム含有亜鉛系保護被膜によって覆われる。その結果、本実施例においては、取付ブラケット２１の鋼素地露出面からの腐食の進行が防止され、その長期にわたっての信頼性が確保される。しかも、この溶融Ｚｎ−Ａｌ−Ｍｇメッキ層の形成のコストは、通常の溶融亜鉛メッキ等と同等であり、従来行われていたカチオン塗装に比べて大幅に安価であるため、取付ブラケット２１がさらに安価に提供される。
【００１９】
なお、本実施例においては、一対の支持金具により、ゴム弾性体を介して１つの質量金具を保持しているが、これに代えて、図４に変形例として示すように、１つの支持金具１１で１つの質量金具１６Ａを保持する構造のダイナミックダンパ１０Ａを取付ブラケット２１Ａによって相手部材７に取り付ける場合にも、本発明を同様に適用することができる。また、本実施例においては、支持金具の両板部の挟角は直角になっているが、９０°より大きくすることも可能であり、これによっても、ローラ加締め法による取付ブラケットの突出部の径方向外方への曲げ加工は可能である。その他、上記実施例に示したダイナミックダンパについては一例であり、本発明の主旨を逸脱しない範囲で、種々変更して実施することが可能である。
【産業上の利用可能性】
【００２０】
本発明のダイナミックダンパは、支持金具と取付ブラケットとの固定にボルトナット等の別部材が不要であると共に取付の手間が少なく、さらに取付ブラケットの加工後の錆の発生を安価に防止できるので、有用である。
【図面の簡単な説明】
【００２１】
【図１】本発明の実施例であるダイナミックダンパを示す一部破断正面図である。
【図２】同ダイナミックダンパを示す平面図である。
【図３−１】同ダイナミックダンパの組付け状態を説明する要部拡大断面図である。
【図３−２】同ダイナミックダンパの組付け状態を説明する要部拡大断面図である。
【図４】変形例であるダイナミックダンパを示す一部破断正面図である。
【図５】従来例であるダイナミックダンパを示す軸線位置での断面図である。
【符号の説明】
【００２２】
１０…ダイナミックダンパ、１１…支持金具、１２…垂直板部、１３…水平板部、１４…取付孔、１６…質量金具、１７…ゴム弾性体、２１…取付ブラケット、２２…突出部、２２ａ…曲げ部。
【図１】
2005226699.tif 000003
【図２】
2005226699.tif 000004
【図３−１】
2005226699.tif 000005
【図３−２】
2005226699.tif 000006
【図４】
2005226699.tif 000007
【図５】
2005226699.tif 000008